(57)【要約】      （修正有）【課題】遠近ともレンズの視野を１００パーセント保持したまま視野の狭さを無くし、遠近セパレートタイプやバリラックスタイプの境い目の違和感を無くしたメガネレンズを提供する。【解決手段】液晶レンズをＵ１，Ｕ２に採用し、各レンズの度数を電気的にまた、自動的に切替えることによりメガネ着用者の遠近各視力に合わせて着用者自身が遠近ともＶ１，Ｖ２により各レンズの度数にプリセット出来る。また、メガネ着用者自身の眼球の動きに同期したその傾斜角で自動的に各レンズの度数に切替えることができる。【選択図】図１
2007133393.tif 000002
【特許請求の範囲】
【請求項１】
遠視、近視、及び遠近両用レンズとして液晶ディバイスの液晶レンズを採用した各メガネの構成構造本体。
【請求項２】
遠近両用メガネのレンズの度数切替方法が本メガネ着用者の眼球の動きを検出してそれぞれの度数に自動的に切替えるさせる技術手法。
【請求項３】
［請求項１］の各メガネ着用者自身がそれぞれのレンズの度数を自身の視力に合わせて任意に調整出来るその技術手法。
【請求項４】
［請求項２］の本メガネ着用者の眼球の動きを検出するその技術手法。
【発明の詳細な説明】
【技術分野】
【０００１】  世界のなかでメガネをかける人口の割合はすこぶる多い。なかでも初老以降の人々は遠くも近くも見えにくくなりそれぞれの度数のメガネにかけ替えるわずらわしさを感じながらの毎日である。
近年、遠近セパレートタイプのメガネやバリラックスタイプのメガネレンズを使った遠近両用メガネが登場し改善されているものの遠近の視野の狭さが眼球の動きに対応できず大変違和感を感じるのが現状と言える。
本発明の遠近または遠近両用メガネは液晶ディバイスの液晶レンズを採用し遠近ともレンズの視野を１００パーセント保持したままで本メガネの着用者の眼球の動きに応じて違和感を感じることなくメガネ着用者自身でプリセットしたレンズの度数に自動的に切替わる事でこれまでのメガネのかけ替え及び自身の眼との違和感から開放されしっくり感のあるごく自然な生活環境を確保する事を目的とするものである。
【技術情報】
・ＮＩＣＴ  独立行政法人情報通信研究機構  ホームページ
ＵＲＬｈｔｔｐ：／／ｗｗｗ．ｎｉｃｔ．ｇｏ．ｊｐ／ｉｎｄｅｘ−Ｊ．ｈｔｍｌ
・ＣＲＬ  ＮＥＷＳ  （ＯＣＴ  Ｎｏ．２８）液晶レンズの研究開発
ＵＲＬｈｔｔｐ：／／ｗｗｗ．ｎｉｃｔ．ｇｏ．ｊｐ／ｐｕｂｌｉｃａｔｉｏｎ／ＣＲＬ  Ｎｅｗｓ／９９１０／ｅｋｉｓｈｏｕ．ｈｔｍｌ
・メガネレンズの基礎知識
ＵＲＬｈｔｔｐ：／／ｗｗｗ．ｅｙｅｌｏｖｅ．ｃｏ．ｊｐ
【背景技術】
【０００２】  メガネの着用はうっとうしいものであるが特に初老以降の人々にとって、なかでも初老以降の人々は遠くも近くも見えにくくなりそれぞれの度数のメガネにかけ替えるわずらわしさを感じながらの毎日である。
［０００１］の如く、遠近両用メガネも改善されているものの遠近の視野の狭さが眼球の動きに対応しきれず大変違和感を感じるのが現状である。
また、視力が年々変化していくことにはレンズの買い替えで対応していくしかないのも現状である。
【発明の開示】
【発明が解決しようとする課題】
【０００３】  遠近セパレートタイプのメガネやバリラックスタイプのメガネレンズを使った遠近両用メガネででも遠近の視野の狭さが眼球の動きに対応できず、またその切替えの境い目では違和感を感じることが多い。
本発明は、液晶レンズを図１、図２、図５のＵ１，Ｕ２に採用し、遠近ともレンズの視野を１００パーセント保持したまま各レンズの度数を電気的にまた、自動的に切替えさせる事で視野の狭さを無くし、遠近セパレートタイプやバリラックスタイプのメガネレンズの境い目の違和感を無くそうとするものである。【０００４】  ［０００３］に加えて、メガネ着用者の遠近各視力に合わせて着用者自身が図１、図２、図３、図５のＶ１，Ｖ２により各レンズの度数にプリセット出来、年々の視力の変化に対応できる事で毎回の無駄なメガネの購入を不要とするものである。【０００５】  本発明の解決しようとするもう１点は、図１、図２、図３、図５のＷ内にある図３で示すＴの水平レベル計によりメガネ着用者自身の眼球の動きに同期したその傾斜角で図３の導電性液球Ｚが移動する事により自動的に各レンズの度数に切替えさせる事でこれまでのメガネのかけ替えや遠近両用メガネの境い目の違和感から開放されしっくり感のあるごく自然な生活環境を確保しようとするものである。
【課題を解決するための手段】
【０００６】  本発明の遠近または遠近両用メガネは液晶レンズを採用し各レンズの視野を１００パーセント保持したままでメガネ着用者の眼球の動きに応じた図３のＴ部、水平レベル計内の導電性液球Ｚの動きによって各レンズの度数に自動的に切替えさせる。即ち、図３のＴ部の詳細拡大図、図４の如く多少上向き、くの字型に曲げた筒状の水平レベル計に導電性液球Ｚと接触する可動抵抗線、図４の６、普通通電線７、コモン線Ｃが密閉されており、通常は筒のくの字傾斜によってＺは自然に筒中央のくぼみに定着するように考えられている。
遠近両用メガネの場合、メガネ着用者の眼球の動きに応じてＺが同様に移動し、遠視用においては抵抗値を可変させた信号が４，Ｃ間で近視用は普通通電した信号が５、Ｃ間のリード線からの遠近情報によってそのレンズの度数に自動的に切替えさせ、また、遠視近視単独メガネにおいても水平レベル計Ｔに代わる半固定的な度数の設定を行ないレンズの視野を遠近とも１００パーセント保持して違和感を感じる事なくごく自然な生活環境を確保するものである。【０００７】  遠近両用メガネの場合、図４のＴ内に封入された通電線６，７とＣによってレンズの度数を３種類のモードに自動的に切替えられる。
メガネ着用者が正面及び上向きな状態の場合、即ち、水平レベル計５側のくぼみと中央のくぼみとの間に導電性液球Ｚがある場合は近視用モードに、逆の正面から４側のくぼみ側にある場合は遠視用モードに切替えられる。
後者の場合はその勾配によって６の抵抗値が可変し、その抵抗値の変化に応じてあたかも１００パーセント視野レンズのバリラックスレンズのようにレンズの度数を徐々に変化させるモード、そして、４側のくぼみに入ると設定された度数の遠視用モードに固定される。【０００８】  図３、図４のＴ，Ｚの動作によって電気的にレンズの度数が切替えられるが、そのレンズの度数のプリセットは図１、図２、図３、図５の  Ｖ１，Ｖ２によりメガネ着用自身でプリセットすることが出来る。
従って、視力の変化にいつで  も対応できる液晶レンズの採用は画期的な発明といえる。
【発明を実施するための最良の形態】
【０００９】  液晶光学デバイスの技術の発展はめまぐるしいものがあり、ノートパソコンのディスプレーやデジタルカメラのファインダー、そして光学カメラのレンズ電子シャッターなど色々な分野に広く使われている。
今回、メガネレンズに採用した液晶レンズはすでに望遠鏡や光学機器等に使われつつあるものであり、本発明のメガネにおいても当然活用されるべきものであり今後のメガネ利用者に大変な福音をもたらすものと考えている。【００１０】  本メガネ着用者の眼球の動きに応じてレンズの度数に自動的に切替わせるためメガネのアーム部分に各図のＳ，Ｗをセットせざるを得ない。そこでデザイン上、重量の課題も本メガネの発明による効果の大きさからＩＣ集積技術等でクリアされると思慮して実施すべしと考えた。
【発明の効果】
【００１１】  世界のなかのメガネ人口はすこぶる多い。なかでも初老以降の人々が遠くも近くも見えにくくなりそれぞれの度数のメガネにかけ替えるわずらわしさを感じながらの毎日である。
［０００３］から［０００８］の説明のとおり、本発明の遠近または遠近両用メガネに採用する液晶レンズは、図１、図２、図３、図５のＶ１、Ｖ２によってメガネ着用者自身がレンズの度数をプリセット出来、図５のＷ、電子制御回路概略図の如く液晶レンズＵ１、Ｕ２を眼球の動きに応じた各レンズの度数に自動的に切替わせる事でこれからのメガネ着用者に大変な福音を広くもたらし、メガネ業界にも大革命をもたらすものと考えている。
【図面の簡単な説明】
【００１２】
【図１】  遠近または遠近両用メガネの構造全体図である。
【図２】  ［図１］を１８０度回転させたメガネの構造全体図である。
【図３】  液晶レンズの遠近切替制御板である。
【図４】  ［図３］内にある水平レベル計の詳細拡大図である。
【図５】  ［図３］内の電子制御回路概略図である。
【符号の説明】
【００１３】  図１の符号（図２の符号も同じ）
１：  メガネ右側アーム部
２：  レンズホルダー部
３：  メガネ左側アーム部
Ｓ：  ボタン電池２個収納部
Ｕ１：右側液晶レンズ部
Ｕ２：左側液晶レンズ部
Ｖ１：遠視用焦点距離調整用ボリューム部
Ｖ２：近視用焦点距離調整用ボリューム部
Ｗ：  遠近切替制御板部
図３の符号
Ｐ：  制御電源
Ｔ：  水平レベル計部
Ｖ１：遠視用焦点距離調整用ボリューム部
Ｖ２：近視用焦点距離調整用ボリューム部
Ｗ：  遠近切替制御板部
Ｘ：  液晶レンズ遠近駆動調整増幅器
Ｙ：  液晶レンズ焦点距離遠近切替器
Ｚ：  導電性液球部
図４の符号
４：  遠視用検出外部リード線部
５：  近視用検出外部リード線部
６：  遠視用可変抵抗線部
７：  近視用普通通電線部
８：  ６，７各線のコモン線部
Ｃ：  ６，７各線のコモンリード線部
Ｔ：  水平レベル計部
Ｚ：  導電性液球部
図５の符号
１：  メガネ右側アーム部
３：  メガネ左側アーム部
Ｐ：  制御電源部
Ｔ：  水平レベル計部
Ｕ１：右側液晶レンズ部
Ｕ２：左側液晶レンズ部
Ｖ１：遠視用焦点距離調整用ボリューム部
Ｖ２：近視用焦点距離調整用ボリューム部
Ｗ：  遠近切替制御板部
Ｘ：  液晶レンズ遠近駆動調整増幅器部
Ｙ：  液晶レンズ焦点距離遠近切替器部
【図１】
2007133393.tif 000003
【図２】
2007133393.tif 000004
【図３】
2007133393.tif 000005
【図４】
2007133393.tif 000006
【図５】
2007133393.tif 000007